(57)【特許請求の範囲】
【請求項１】
複数の移動局にサービスする複数の基地局を有し、該基地局(BTS)と移動局(ＭＳ)との間に複数の基地局−移動局間通信パスが構成されるワイヤレス通信システムの通信方法であって、
該基地局の活性の組は、該複数の移動局の少なくとも１つに応答するよう決定され、
（Ａ）移動局に対応する基地局の評価セットを創設するステップを含み、該評価セットは、該基地局−移動局間通信パスの逆方向リンクにおけるパス損失の関数として決定されると共に、該活性の組には含まれていない他の隣接する基地局を含み、該方法は、さらに、
（Ｂ）該評価セット内の各基地局に対する提供可能なデータレートを決定するステップと、
（Ｃ）該評価セット内の基地局の提供可能なデータレートから、最小の提供可能なデータレートを選択するステップとを含むワイヤレス通信システムの通信方法。
【請求項２】
請求項１に記載の通信方法において、
（Ｄ）該複数の基地局−移動局間通信パス内の逆方向ジャミングの影響を評価するステップをさらに含み、
該評価セットは、該評価された逆方向ジャミングの影響に基づいて決定される通信方法。
【請求項３】
請求項１に記載の通信方法において、
（Ｅ）該複数の基地局−移動局間通信パスの少なくとも１つのパワー測定値を監視するステップと、
（Ｆ）該監視されたパワー測定値に基づいて、該移動局の送信パワーを調整するステップとをさらに含む通信方法。
【請求項４】
請求項１に記載の通信方法において、
（Ｇ）該基地局の評価セットによりサービスされる基地局−移動局間通信パス内のデータレートを監視するステップと、
（Ｈ）該評価セットによりサービスされた基地局−移動局間通信パスのデータレートとして、該モニターされたデータレートから最低のデータレートを選択するステップとをさらに含む通信方法。
【請求項５】
請求項１に記載の通信方法において、
（Ｉ）移動局が受信した基地局の相対的信号強度を検出するステップと、
（Ｊ）該基地局の送信パワーを検出するステップと、
（Ｋ）該基地局のノイズフロアを検出するステップと、
（Ｌ）該基地局の逆方向ジャミングの影響を評価するステップと
をさらに含む通信方法。
【請求項６】
請求項１に記載の通信方法において、
（Ｌ）該基地局の逆方向ジャミングの影響を評価するステップをさらに有し、
該逆方向ジャミングの影響は、次式により評価され、
J_k=RxEc/Io-BTS_kTx-BTS_kfloor
J_kは、特定のBTS(k)と移動局との間の通信パスのジャミングの影響であり、RxEc/Ioは、移動局で受信した相対的信号強度であり、BTS_kTxは、BTS(k)の送信パワーであり、BTS_kfloorは、BTS(k)の鈍感にするための注入ノイズを含むノイズフロアである通信方法。
【請求項７】
請求項１に記載の通信方法において、
該評価セットは、次式により決定され、
E-set=｛BTS_k|J_max-J_k<=Δ｝
ここで、BTS_kは、基地局で、J_maxは、基地局と移動局との間のBTS-移動局通信パスの最大ジャミングの影響であり、J_kは、BTS-移動局通信パスのジャミングの影響であり、Δは、相対的ジャミング影響のしきい値を表す通信方法。
【請求項８】
請求項１に記載の通信方法において、
（Ｍ）少なくとも１つの基地局−移動局間通信パスのパワー測定値を監視するステップと、
（Ｎ）該少なくとも１つの基地局−移動局間通信パスの逆方向ジャミングの影響を評価するステップとをさらに含む通信方法。
【請求項９】
請求項１に記載の通信方法において、
該提供可能なデータレートは、次式で決定され、
【数１】
0003578968.tif 000005
ここで、Lは、現在の逆方向リンク負荷予測であり、Wは、周波数バンド幅(例3.75MHz)、Lupは、逆方向負荷の許容可能な上限であり、finger efficiencyは、移動局内のRAKE受信器により受信されたエネルギー対実際のトータルエネルギーの比率であり、adjusted Eb/Ntは、パワー調整項である通信方法。
【請求項１０】
複数の移動局にサービスする複数の基地局を有し、該基地局(BTS)と移動局(MS)との間に複数の基地局−移動局間通信パスが構成されるワイヤレス通信システムにおいて、
該基地局の活性の組は、該複数の移動局の内の少なくとも１つに応答するよう決定され、該システムは、
（Ａ）移動局に対応する基地局の評価セットを含み、評価セットは、該基地局−移動局間通信パスの逆方向リンクにおけるパス損失の関数として決定されると共に、該活性の組には含まれていない他の隣接する基地局を含み、該システムは、さらに、
（Ｂ）該評価セット内の各基地局に対する提供可能なデータレートを決定する手段と、
（Ｃ）該評価セット内の基地局の提供可能なデータレートから、最小の提供可能なデータレートを選択する手段とを含むワイヤレス通信システム。
【発明の詳細な説明】
【０００１】
【発明の属する技術分野】
本発明は、ワイヤレス通信システムに関し、特に、このようなシステムにおける、逆方向のジャミングを阻止する方法に関する。
【０００２】
【従来の技術】
ワイアレス通信システムが発展し、発信元と宛先との間の情報信号の伝送（送信）ができるようになっている。アナログ（第１世代）システムとデジタル（第２世代）システムの両方を用いて、発信元と宛先との間を接続する通信チャネルを介してこのような情報信号を伝送している。デジタル方法は、アナログ方法に比べていくつかの利点がある、例えばチャネルノイズと干渉に対する耐性の改善、容量の増加、暗号化技術にちる安全性の向上等である。
【０００３】
第１世代のシステムは、主に音声通信に向けられているが、第２世代の通信は、音声とデータの両方のアプリケーションをサポートする。様々な技術や異なる伝送要件を有するデータ伝送を取り扱うためにの第２世代のシステムは公知である。いくつかの変調／符号化構成が、ワイアレスシステムに対し多重アクセス技術、例えば周波数分割多重アクセス（ＦＤＭＡ）、時分割多重アクセス（ＴＤＭＡ）、符号分割多重アクセス（ＣＤＭＡ）に基づいて開発されている。ＦＤＭＡの技術においては、各ユーザには周波数の１つあるいは複数の特定のサブバンドに割り当てられている。ＴＤＭＡ技術においては、周期的に発生するタイムスロットが特定され、各タイムセグメントにおいて各ユーザには１つあるいは複数のタイムスロットが割り当てられている。ＣＤＭＡシステムでは、複数のパスの歪みと共通チャネル干渉を低減し、さらにＦＤＭＡシステム、ＴＤＭＡシステムにおいて一般的であった周波数／チャネル計画の負担が軽減している。
【０００４】
ＣＤＭＡシステムにおいては、異なる二進拡散シーケンス（符号）が呼び毎に各ユーザに割当てられている。割り当てられた符号を乗算することによりユーザの信号は、ユーザの信号のバンド幅よりも遙かに広いチャネルバンド幅に拡散される。システムのチャネルバンド幅とユーザのバンド幅に対する比率は、通常拡散利得と称する。全ての話中のユーザは、同一時に同一のシステムチャネルバンド幅周波数スペクトラムを共有している。信号対干渉比率（ｓｉｇｎａｌ−ｔｏ−ｉｎｔｅｒｆｅｒｅｎｃｅ  ｒａｔｉｏ＝ＳＩＲ）を計算することにより、伝送リンクの接続品質が決定される。必要なＳＩＲが与えられるとシステム容量は拡散利得に比例する。各ユーザの信号は、所望の信号を脱拡散するために関連する符号シーケンスでもってキー化された相関器を用いることにより受信機側で互いに分離される。
【０００５】
第１世代のアナログシステムと第２世代のデジタルシステムは、限られたデータ通信容量でもって音声通信をサポートするよう企図されている。第３世代のワイアレスシステムにおいては、ＣＤＭＡのようなワイドバンドの多重アクセス技術を用いて音声、ビデオ、データ、画像のような様々なサービスを取り扱うことが期待されている。第３世代のシステムによりサポートされる様々な特徴のうちの１つは、移動端末と有線のネットワークとの間の高速データの伝送である。従来公知のように、高速データ通信は、高速の伝送レートにおける短い通信「バースト」期間と、その後に続く比較的長いの無伝送期間により特徴づけられる。第３世代における高速データサービスのバースト特徴を受け入れるためには、通信システムはデータバーストの間、時々大きなバンド幅のセグメント（高速データレートに対応する）を割当てる必要がある。第３世代のシステムがこのようなバースト型の高速データ伝送の処理ができるために、各ユーザに対するスループットと遅延が改善される利点がある。しかし、高速データのバーストを伝送するためには、大量かつ同時のバンド幅の割当てが必要なために、このようなバーストの管理、特にパワーとシステムの資源のそれへの割当ては注意深く行い、同一の周波数割当てを用いている他のサービスとの不要な干渉を避けなければならない。したがって、システムデザイナーは、無線リンクを介して様々な種類の通信を行うために効率的なデータレートを設定する際に様々な問題を解決する必要があり、特に高速データサービスの際必要とされるデータのバーストに対するシステム資源の割当てを適切に行う必要がある。
【０００６】
【発明が解決しようとする課題】
本発明の目的は、ワイアレス通信システムの性能とスループットを改善することである。特に、通信システムにおいて、通信資源を割り当てる際、異なるパワアーレベル動作するユーザ間の干渉を回避する方法を提供する。
【０００７】
【課題を解決するための手段】
本発明は、ワイヤレス通信システムの性能とスループットを向上させる新規のパワー制御方法を提供する。特に、本発明は、ワイヤレス通信システムで動作する、送信器−受信器対における非対称のパワー関係に基づいた逆方向リンクのジャミングを回避するものである。特に、本発明は、順方向リンクのカバレッジと、逆方向リンクのカバレッジの差異から発生するリンクのインバランスに起因する逆方向のジャミングを阻止する。本発明によれば、特定のユーザにサービスする基地局の活性状態の組のスーパーセットである評価セット（ｅｖａｌｕａｔｉｏｎ  ｓｅｔ（ｅ−ｓｅｔ））が、逆方向のジャミングの悪影響を阻止するために、ｅセットを含む、基地局内で決定され、パワー関係が管理される。特に高速ワイヤレス通信システムにおいて、パワーの過負荷の問題と緩衝の問題がかくして回避できる。
【０００８】
本発明の方法によれば、近傍にある基地局（ＢＴＳ）から移動局（ＭＳ）が受信する相対的な信号強度を最初に検出する。その後通信パスのパス損失を監視手段により評価し、基地局（ＢＴＳ）内の逆方向のジャミングの影響を測定する。特定の移動局（ＭＳ）と通信中の基地局（ＢＴＳ）と活性状態の組内にない基地局（ＢＴＳ）は、活性状態の組と結合され、評価セット（すなわちｅセットと称する）であるスーパーセットを生成する。かくして、提供可能なデータレートが、移動局（ＭＳ）と通信中のｅセット内の各基地局（ＢＴＳ）に対し決定できる。その後、データレートが、ｅセット内の基地局（ＢＴＳ）と移動局（ＭＳ）との間のデータの伝送に対し、ｅセット内の基地局（ＢＴＳ）の提供可能な最低のデータレートを選択することにより決定できる。逆方向リンクの伝送は、ｅセット内の基地局（ＢＴＳ）に対する逆方向チャネルジャミングが検出されたときに、終了するか、あるいはパワーの低減を指示され、これにより逆方向リンクの過負荷の問題と過剰緩衝の問題を回避する。
【０００９】
【発明の実施の形態】
初期のワイアレス通信システム、特に第１世代のアナログ通信システムは、主に音声通信に集中していた。ＣＤＭＡ，ＴＤＭＡ，ＧＳＭのような第２世代のワイアレス通信システムにおいては、音声品質、ネットワーク容量、高級サービスの観点から様々な改善がなされている。しかし、第２世代の通信システムは、音声と低速データとファックスとメッセージを具備するものに適したものであるが、高速で移動する局のデータレートに対する要件については、取り組んではいなかった。第３世代のワイアレス通信への進展によりマルチメディアの移動体通信の世界へのパラダイムのシフトが起こり、この世界ではユーザは、音声サービスだけでなくビデオ、画像、テキスト、グラフ、データ通信にもアクセスできるようになるであろう。この第３世代のネットワークは、移動中のユーザに対し、１４４Ｋｂｐｓと２Ｍｂｐｓとの間のデータレートを提供することが期待されている。
【００１０】
しかし、高速データ通信アプリケーションをサポートするワイアレスネットワークにおいては、バースト送信期間を注意深く管理して高速のアプリケーションおよび他のアプリケーション（音声の呼び）のときにパワーの過負荷および受け入れがたい干渉を回避しなければならない。以下に説明するように、本発明はこのような高速データのアプリケーションに関し、バースト送信期間の割当てを効率よく管理することにより、ワイアレス通信システムの性能を増加させる新たな手法を提供するものである。以下の説明においては、本発明は無線信号のＣＤＭＡ符号化に基づいた実施例を例に説明するが、本発明の手法は、ＴＤＭＡ、ＳＧＭを含む他のワイアレスチャネル構成にも同様に適用できる。
【００１１】
ワイヤレス通信システムを確立するに際し、システムデザイナーは、カバレッジを考慮して、様々なセルサイズ（例えば、マクロセルとマイクロセル）と、様々な送信パワーレベルを構築する。例えば、カバレッジが不足するような、谷のような領域においては、サイズが小さく、送信パワーの低いマイクロセルが、十分な伝送品質を確保するために設置される。空港のターミナルのようなトラフィックの高い領域においては、伝送容量を上げるために、マクロセル内に複数のマイクロセルを構築する。さらにまた、パワーを最適化するために、パワーレベルを下げた状態で特定のセルは動作するよう構築される。その結果、近隣のセル（あるいはセクタ）内の基地局（ＢＴＳ）は、パワーの最適化および／またはカバレッジの向上を考慮して、大幅に異なるパワーレベルで送信する。
【００１２】
かくして、近隣のセル／セクタが異なる最大順方向リンク送信パワーを用いることは、珍しくはない。しかし、近隣のＢＴＳのおのおのに対する両方向リンクは、ほぼ全方位のパターンで、同一パワーを放射する移動局（ＭＳ）により確立されるために、低い順方向リンクパワーを有するセルと、高い順方向リンクパワーを有する近隣のセル内で、ほぼ同一のカバレッジを有する。隣接するセル間で非対称である順方向リンクと逆方向リンクのカバレッジの状態は、リンクインバランスとして特徴づけられる。
【００１３】
低パワーのセルに対しては、リンクインバランスの状況下で、移動局からの逆方向リンクパワー伝送は、そのセルの基地局（ＢＴＳ）によりサービスされる他の移動局に対し、重大な緩衝の問題を引き起こす。具体的に説明すると、リンクがインバランス状態の移動局は、そのＢＴＳによりサービスされる移動局に対するのとほぼ同じ低パワーのＢＴＳの近傍内にあるが、他の移動局よりも大幅に高いパワーで送信している。このような状況下においては、リンクインバランス状態の移動局から送信されたパワーは、他の移動局の逆方向リンク信号をジャミングする可能性があり、これにより、これらの移動局からそれらがサービスしているＢＴＳへの伝送の信号品質を悪くしてしまう。この問題は、リンクインバランスにある移動局が、高速データを実際に伝送し、音声または他の低速度のデータレート信号よりもより高い送信パワーを用いるときに顕著であり、さらにまた、低パワーのセル内の移動局に対し逆方向リンクのジャミングを引き起こす可能性がある。
【００１４】
図１は、カバレッジ領域がオーバーラップするマクロセル（ＢＴＳ１によりサービスされる）とマイクロセル（ＢＴＳ２によりサービスされる）の代表的なリンクインバランスの状況を示す。同図において、移動局（ＭＳ）は、ＢＴＳ１とＢＴＳ２のカバレッジ領域内にある。特に、ＭＳ１は、ＢＴＳ１のカバレッジ領域内にあるが、ＢＴＳ２のカバレッジ領域外にある。マイクロセルをサービスするＢＴＳ２は、カバレッジ領域が小さいために、送信パワーは小さい。
【００１５】
ＭＳ１がＢＴＳ２によりサービスされるマイクロセルに近い位置にある場合でも、ＢＴＳ２からＭＳ１が受信する信号強度は、ＢＴＳ１から受信したそれに比較するときわめて低い。ＢＴＳ１は高送信パワーでもって動作するために、ＭＳ１がＢＴＳ１から受信した信号強度は、ＭＳ１がＢＴＳ２にかなり近づいた場合でも、ＢＴＳ２から受信したものに比較すると十分強い。例えば、マイクロセルにサービスするＢＴＳ２の順方向送信パワーが、ＢＴＳ１よりも１０ｄＢ低く、マクロセルにサービスしている場合を考える。
【００１６】
さらにまた、ＢＴＳ２が、ＭＳ１がＢＴＳ２に近いために、ＢＴＳ１からのそれに比較して移動局に対するパス損失が６ｄＢ小さいことと仮定する。そのため、相対的信号強度の観点からすると、ＭＳ１は、ＢＴＳ１（マクロセル）から受信したそれよりも４ｄＢ低い信号をＢＴＳ２（マイクロセル）から受信する。順方向リンクにおける信号強度の測定値に基づいて、ＭＳ１は、ＢＴＳ２から離れたところにあるように見え、そしてそのため、ＭＳ１にサービスするＢＴＳの活性の組内には含まれないものとなる。このような状況下において、ＢＴＳ２は、ＭＳ１とはいかなるパワー制御関係にもなく、そのため、ＭＳ１により低い送信パワーを使用するよう指示する根拠が存在しない（ＭＳ１は、ＢＴＳ２とそのサービスされるＭＳとの間の通信を大幅に劣化させるのに十分なパワーでもってＭＳ１が送信していることに耐えられない）。
【００１７】
本発明の方法によれば、ＢＴＳの評価セット（ｅセット）が選択され、これは特定のＭＳにサービスするＢＴＳの活性の組のスーパーセットである。逆方向リンクのジャミングに対する影響がｅセット内のＢＴＳのおのおのに対し、その後評価される。リンクがインバランス状態にあるため、順方向リンクの相対的信号強度の監視と検出は、特定のＢＴＳに対するＭＳの実際の物理的な位置を正確に反映するものではない。逆方向リンクのパス損失は、ＢＴＳに対するＭＳの物理的位置をより良好かつより正確に表すものである。逆方向リンクのパス損失が低いＢＴＳ（図１のマイクロセルにサービスするＢＴＳ２）は、このｅセット内に含まれる。次に本発明の方法を詳述する。
【００１８】
図２は、本発明の方法を表すフローチャート図である。同図において、近隣のＢＴＳからＭＳが受信する、相対的信号強度をステップ２０１で検出する。ＢＴＳ内の逆方向ジャミングの影響を監視し、測定することにより通信パスのパス損失がステップ２０２で評価される。ステップ２０３において、特定のＭＳと通信しているＢＴＳの活性の組内にないＢＴＳは、活性の組と組み合わされて、評価セットすなわちｅセットと称するＢＴＳのスーパーセットを生成する。ステップ２０４において、提供可能なデータレートが、ＭＳと通信中のｅセット内のＢＴＳのおのおのに対し決定される。ステップ２０５においては、ｅセット内のＢＴＳと、ＭＳとの間のデータの伝送に対して、ｅセット内のＢＴＳの提供可能な最低のデータレートを選択することにより決定される。ステップ２０６において、逆方向リンクの伝送は、特にハイパワーで、高データレート伝送が中止されるか、あるいはパワーの低減が指示される。これは、ｅセット内のＢＴＳに対する逆方向チャネルのジャミングが検出されたときに行われる。逆方向リンクの高速データの伝送時の緩衝の問題がこれにより大幅に回避される。
【００１９】
図２のステップ２０１を参照すると、相対的信号強度は、監視ステップにより検出され、近隣のＢＴＳからＭＳが受信した順方向パイロットＥｃ／Ｉｏ（相対的信号強度）、あるいは相対的信号強度がレポートされる。近隣にあるＢＴＳは、ＭＳに地理的に近傍した場所にあるＢＴＳであるが、ＭＳを通信しているＢＴＳの活性の組であっても、あるいはなくてもよい。
【００２０】
ＢＴＳをｅセットに組み込む１つの基準は、パス損失のしきい値である。実施例においては、このパス損失のしきい値は、逆方向ジャミングの影響を測定して決定される。ＢＳＣ（基地局コントローラ）は、ＭＳに対し、逆方向リンクのバースト伝送要求とともにあるしきい値（例、Ｔ  ｒｅｐｏｒｔ  ）以上のパワー測定値を報告するよう指示する。ソフトハンドオフに対するしきい値セット（Ｔ  ａｄｄ  ）が、−１４ｄＢで確立されるような場合には、しきい値（Ｔ  ｒｅｐｏｒｔ  ）は、−１９ｄＢに選択される。
【００２１】
図２のステップ２０２を参照すると、その後、ＢＳＣは、パス損失を評価するためにＢＴＳの逆ジャミングの影響の計算を行う。逆ジャミングの影響を決定する１つの方法は、ＢＴＳに対する相対的な逆正味パス損失を、次式に基づいて測定することである。
Ｊ＿ｋ＝ＲｘＥｃ／Ｉｃ−ＢＴＳ＿ｋＴｘ−ＢＴＳ＿ｋｆｌｏｏｒ
Ｊ＿ｍａｘ＝ｍａｘ  ｏｖｅｒ  ｋ  ｏｆ  Ｊｋ
Ｊ＿ｋは、特定のＢＴＳ（ｋ）とＭＳとの間の通信パスのジャミングの影響であり、Ｊ＿ｍａｘは、ＢＴＳ（ｋ）の間の通信パスの最大ジャミングの影響であり、Ｒｘ  Ｅｃ／Ｉｃは、ＭＳで受信した相対的信号強度であり、ＢＴＳ＿ｋ  Ｔｘは、ＢＴＳ（ｋ）の送信パワーであり、ＢＴＳ＿ｋ  ｆｌｏｏｒは、ＢＴＳ（ｋ）の鈍感にするための注入ノイズを含むノイズフロアである。ＢＴＳの逆ジャミングの影響は、ｄＢで測定される。
【００２２】
図２のステップ２０３において、ＢＴＳの評価セット（ｅセット）が、ＭＳと通信中のＢＴＳの活性の組を含むＢＴＳのスーパーセットから決定される。ＢＴＳ（ｋ）に対し計算されたジャミングの影響を用いて、このｅセットは次式で表すことができる。
Ｅ−ｓｅｔ＝｛ＢＴＳ＿ｋ｜Ｊ＿ｍａｘ−Ｊ＿ｋ＜＝Δ｝
ここで、ＢＴＳ＿ｋは、基地局で、Ｊ＿ｍａｘは、基地局と移動局との間のＢＴＳ−ＭＳ通信パスの最大ジャミングの影響であり、Ｊ＿ｋは、ＢＴＳ−ＭＳ通信パスのジャミングの影響であり、Δは、相対的ジャミング影響のしきい値を表す。このΔは、相対的ジャミング影響のしきい値である。一般的に相対的ジャミング影響のしきい値は、２ないし５ｄＢの範囲内にある。このｅセットは、活性の組内のＢＴＳと相対的ジャミング影響のしきい値の範囲内（Δ）内にある最大ジャミング影響を有するＢＴＳを含む。
【００２３】
図２のステップ２０４について、提供可能なデータレートがＭＳと通信中のｅセット内のＢＴＳのおのおのに対し決定される。ｅセット内の各ＢＴＳに対しては、このＢＳＣは次式に基づいて提供可能なデータレートを計算する。
【数３】
0003578968.tif 000002
ここでＬは、現在の逆方向リンク負荷予測であり、Ｗは、周波数バンド幅（例３．７５ＭＨｚ）、ＬＵＰは、逆方向負荷の許容可能な上限であり、ｆｉｎｇｅｒ  ｅｆｆｉｃｉｅｎｃｙは、ＭＳ内のＲＡＫＥ受信器により受信されたエネルギー対実際のトータルエネルギーの比率であり、ａｄｊｕｓｔｅｄ  Ｅｂ／Ｎｔは、パワー調整項である。この要件におけるすべての項は、線形（ｄＢではない）である。ｌｏｇ値から線形値への変換は、ｄＢで表す必要がある。ａｄｊｕｓｔｅｄ  Ｅｂ／Ｎｔは次式で決定できる。
【００２４】
ＢＴＳが活性の組内にある場合には、
【数４】
0003578968.tif 000003
ｐｉｌｏｔ＿ｒａｔｅは、パイロット積分期間の逆数である。ｍｅａｓｕｒｅｄ  ｐｉｌｏｔ  ＳＩＲは、逆方向リンクパイロット用であり、ＯＦＦＳＥＴ＿ＲＰ（ｄＢで）は、目標ＦＥＲ（フレームエラーレート）と、符号化構造と、チャネルレートの差に起因する逆方向パワー要件の差を保証するパラメータである。
【００２５】
ＢＴＳが活性セット内にない場合には、
【数５】
0003578968.tif 000004
【００２６】
図２のステップ２０５について説明すると、ｅセット内のＢＴＳの提供可能なデータレートの最小値は、ｅセット内のＢＴＳと、ＭＳとの間のデータ伝送用のデータレートとして選択される。本発明の動作を｛Ａ、Ｂ｝の代表的な活性のセットの点から説明する。ここで、ＡとＢは、特定のＭＳにサービスされるＢＴＳである。本発明によれば、ＭＳに地理的に近くにあるＢＴＳは、逆方向ジャミングの影響がモニターされる。この例では、Ｃにおける逆方向リンクジャミングの影響は、大きく所定のパス損失しきい値以上であると決定される。その後、ｅセットが構築され、これはＢＴＳ｛Ａ、Ｂ、Ｃ｝の組を含む。逆方向リンクのデータレートは、ｅセット内の各ＢＴＳが経験した逆方向リンクのジャミングに対し、許容できるようなデータレートの最小値としてｅセットに対し選択される。これを数式で表すと、許容可能なデータレートは次式となる。
Ｒ＝ｍｉｎ｛ＲＡ、ＲＢ、ＲＣ｝
【００２７】
図２のステップ２０６において、ｅセット内のＢＴＳがサービスされているＭＳに対する逆方向リンクの緩衝が強いことにより、問題を抱えている場合には、このＢＴＳは、ワイヤレス通信システム内の基地局コントローラＢＳＣに対し、ＭＳに対向する送信パワーを調整するよう、あるいは特定のバースト伝送を中断するよう通知する。
【００２８】
【発明の効果】
本発明の方法は、バースト伝送のみならず、低パワー出力でもって動作しているＭＳとのチャネル緩衝を解決することにも適用される。リンクインバランスに起因して、ＢＴＳと、いかなるパワー制御関係にもないＭＳとの逆方向データ通信の緩衝の問題は、かくして回避される。
【００２９】
【図面の簡単な説明】
【図１】本発明による逆方向リンクパワーインバランスの状況を表す図。
【図２】本発明の方法を表すフローチャート図。
【図１】
0003578968.tif 000006
【図２】
0003578968.tif 000007